(57)【要約】【課題】プラズマディスプレイパネルを提供する。【解決手段】第１基板と、これと対向するように配置された第２基板と、第１基板と第２基板との間に形成されたそれぞれの放電セルに配置された複数の放電電極と、を含み、第１及び第２基板は、画像を形成する表示領域と、表示領域のエッジに沿って形成され、放電電極が外部端子と電気的に接続される接続領域と、接続領域のエッジに沿って形成されたバッファ領域と、に区画され、放電電極は、表示領域と、接続領域と、バッファ領域とにわたって連続的に配置され、バッファ領域に配置された部分の幅は、表示領域と連結領域とに配置された部分の断面積より相対的にに大きく形成されたプラズマディスプレイパネルである。これにより、放電電極の形成時に接続される部分での所望の形状を維持し、端部の割れ現象を防止してショート不良を防止できる。【選択図】図４
2006114483.tif 000002
【特許請求の範囲】
【請求項１】
第１基板と、
前記第１基板と対向するように配置された第２基板と、
前記第１基板と第２基板との間に形成されたそれぞれの放電セルに配置された複数の放電電極と、を含み、
前記第１及び第２基板は、画像を形成する表示領域と、表示領域のエッジに沿って形成され、前記放電電極が外部端子と電気的に接続される接続領域と、接続領域のエッジに沿って形成されたバッファ領域と、に区画され、
前記放電電極は、表示領域と、接続領域と、バッファ領域にわたって連続的に配置され、前記バッファ領域に配置された部分の断面積は、表示領域と連結領域とに配置された部分の断面積より相対的に大きく形成されたことを特徴とするプラズマディスプレイパネル。
【請求項２】
前記バッファ領域に配置された部分の放電電極の幅は、表示領域と接続領域とに配置された部分の放電電極の幅より相対的に広く形成されたことを特徴とする請求項１に記載のプラズマディスプレイパネル。
【請求項３】
接続領域に配置された部分の放電電極の長さは、バッファ領域に配置された部分の放電電極の長さより相対的に長く形成されたことを特徴とする請求項１に記載のプラズマディスプレイパネル。
【請求項４】
前記表示領域に配置された放電電極の幅は、接続領域に配置された放電電極の幅と実質的に同じであることを特徴とする請求項１に記載のプラズマディスプレイパネル。
【請求項５】
前記表示領域に配置された放電電極は、透明電極ラインと、前記透明電極ライン上に重畳されたバス電極ラインとからなる二重層構造であることを特徴とする請求項１に記載のプラズマディスプレイパネル。
【請求項６】
前記接続及びバッファ領域に配置された放電電極は、前記バス電極ラインが延びて配置された単一層構造であることを特徴とする請求項５に記載のプラズマディスプレイパネル。
【発明の詳細な説明】
【技術分野】
【０００１】
本発明は、プラズマディスプレイパネル（PDP:Plasma Display Panel）に係り、さらに詳細には、画像を具現する表示領域の外側に延びた放電電極の構造が改善されたＰＤＰに関する。
【背景技術】
【０００２】
通常的に、ＰＤＰは、複数の放電電極が形成された２つの基板上に放電ガスを注入して封じ込んだ後に、放電電圧を印加し、この放電電圧によって２つの電極間に気体が発光すれば、適切なパルス電圧を印加して２つの電極が交差する地点にアドレッシングして所望の数字、文字またはグラフィックを具現する平板表示装置をいう。
【０００３】
図１を参照すれば、従来のＰＤＰ  １００は、前面基板１０１と、背面基板１０２と、前記前面基板１０１の内面にパターン化されたＸ電極１０３及びＹ電極１０４と、前記Ｘ電極１０３及びＹ電極１０４を埋め込む前面誘電体層１０５と、前記前面誘電体層１０５の表面に形成された保護膜層１０６と、前記背面基板１０２の内面にパターン化されたアドレス電極１０７と、前記アドレス電極１０７を埋め込む背面誘電体層１０８と、前記前面基板１０１と背面基板１０２との間に配置された隔壁１０９と、前記隔壁１０９内に塗布された蛍光体層１１０と、を含んでいる。
【０００４】
前記のような構造を有するＰＤＰ  １００は、アドレス電極１０７とＹ電極１０４とに電気的信号を印加すれば、発光のための放電セルが選択され、Ｘ電極１０３及びＹ電極１０４に交互に信号を印加すれば、選択された発光セル内に塗布された蛍光体から可視光が放出されて静止画像または動画を具現することができる。このようなＸ電極１０３及びＹ電極１０４と、アドレス電極１０７とは、回路によって駆動されるものである。
【０００５】
図２は、従来の放電電極が配置された状態を示す図面である。
【０００６】
図面を参照すれば、基板２００上には、互い逆になる方向に配置されたＸ電極２１１及びＹ電極２１２と、前記Ｘ電極２１１及びＹ電極２１２と交差する方向に配置されたアドレス電極２１３と、が配置されている。
【０００７】
前記基板２００を領域別に区分しようとすれば、画像を具現する表示領域２０１と、前記表示領域２０１の外側に区画された非表示領域２０２とに分けることができる。前記非表示領域２０２は、再び放電電極２１１ないし２１３が外部端子と接続される接続領域２０３と、前記電極２１１ないし２１３が外部端子との連結のための安定的な長さを確保するためのバッファ領域２０４とに区分することができる。
【０００８】
このとき、前記Ｘ電極２１１を例として説明すれば、前記Ｘ電極２１１は、表示領域２０１に配置された部分２１４と、これから一体に延びて接続領域２０３に配置された部分２１５と、前記接続領域２０３から一体に延びてバッファ領域２０４に配置された部分２１６と、で形成されている。
【０００９】
しかし、前記Ｘ電極２１１は、外部端子、例えば、フレキシブルプリンテッドケーブルと連結するために、接続領域２０３に配置される電極長さが４ｍｍほど必要である。
【００１０】
このような外部端子と接続可能な電極長さを形成するためには、バッファ領域２０４に配置される電極長さが少なくとも２ｍｍほど必要である。このようなバッファ領域２０４での電極長さを２ｍｍ以上確保して始めて、接続領域２０３に配置される４ｍｍほどの電極長さが安定的に形成可能である。
【００１１】
もし、バッファ領域２０４が存在しない場合には、Ｘ電極２１１の現像時に電極２１１のディギング現象が甚だしく発生して、接続領域２０３での電極長さを４ｍｍも確保し難くなる。
【００１２】
図３は、このような従来のバッファ領域での電極を拡大して示す図面である。
【００１３】
図面を参照すれば、基板３００上には、放電電極３１０が配置されている。前記基板３００は、表示領域３０１と、接続領域３０２と、バッファ領域３０３と、に区分できる。
【００１４】
前記放電電極３１０は、透明な電極ライン３１１と、前記透明電極ライン３１１上に形成されたバス電極ライン３１２と、を含んでいる。前記バス電極ライン３１２は、表示領域３０１に配置された部分３１３と、接続領域３０２に配置された部分３１４と、バッファ領域３０３に配置された部分３１５と、を含んでいる。
【００１５】
しかし、バッファ領域３０３に配置された電極部分３１５の端部３１５ａを参照すれば、その幅が狭くて製造過程中に割れる現象が発生する。このように、前記端部３１５ａが割れれば、以後に接続領域３０２でバス電極ライン３１２と外部端子との接続時に加えられる圧力によって割れた端部３１５ａが離れて、周辺の端子とショート不良を発生させる。
【発明の開示】
【発明が解決しようとする課題】
【００１６】
本発明が解決しようとする目的は、外部端子と接続される放電電極の端部が割れないように放電電極の端部面積を拡大させたＰＤＰを提供することである。
【課題を解決するための手段】
【００１７】
前記目的を達成するために、本発明の一側面によるＰＤＰは、第１基板と、前記第１基板と対向するように配置された第２基板と、前記第１基板と第２基板との間に形成されたそれぞれの放電セルに配置された複数の放電電極と、を含み、前記第１及び第２基板は、画像を形成する表示領域と、表示領域のエッジに沿って形成され、前記放電電極が外部端子と電気的に接続される接続領域と、接続領域のエッジに沿って形成されたバッファ領域と、に区画され、前記放電電極は、表示領域と、接続領域と、バッファ領域とにわたって連続的に配置され、前記バッファ領域に配置された部分の断面積は、表示領域と連結領域とに配置された部分の断面積より相対的に大きく形成されたことを特徴とする。
【００１８】
また、前記バッファ領域に配置された部分の放電電極の幅は、表示領域と接続領域とに配置された部分の放電電極の幅より相対的に広く形成されたことを特徴とする。
【００１９】
さらに、接続領域に配置された部分の放電電極の長さは、バッファ領域に配置された部分の放電電極の長さより相対的に長く形成されたことを特徴とする。
【００２０】
また、前記表示領域に配置された放電電極の幅は、接続領域に配置された放電電極の幅と実質的に同じであることを特徴とする。
【００２１】
それと共に、前記表示領域に配置された放電電極は、透明電極ラインと、前記透明電極ライン上に重畳されたバス電極ラインと、からなる二重層構造であることを特徴とする。
【００２２】
しかも、前記接続及びバッファ領域に配置された放電電極は、前記バス電極ラインが延びて配置された単一層構造であることを特徴とする。
【発明の効果】
【００２３】
本発明のＰＤＰは、次のような効果が得られる。
【００２４】
第一に、放電電極が外部端子と接続される部分の外側に、これと一体に延び、これと同時に面積が拡大された部分を形成させることによって、電極の形成時に接続される部分での所望の形状を維持する。
【００２５】
第二に、放電電極が面積の拡大された部分を有することによって、端部の割れ現象を防止してショート不良を防止することができる。
【００２６】
第三に、放電電極が外部端子と接触する部分を安定的に確保することによって、パネルの耐電圧を高めることができる。
【発明を実施するための最良の形態】
【００２７】
以下で、添付された図面を参照しつつ本発明の望ましい実施形態によるＰＤＰを詳細に説明する。
【００２８】
図４は、本発明の一実施形態によるＰＤＰ  ４００を示している。
【００２９】
図面を参照すれば、前記ＰＤＰ  ４００は、前面パネル４１０と、前記前面パネル４１０と対向するように配置された背面パネル４６０と、を含んでいる。
【００３０】
前記前面パネル４１０には、前面基板４１１が設けられている。前記前面基板４１１は、ソーダライムガラスのような透明な基板からなる。前記前面基板４１１の下面には、ＰＤＰ  ４００のＸ方向に沿ってＸ電極４１２及びＹ電極４１３が放電セル内に交互に配置されている。
【００３１】
前記Ｘ電極４１２は、ストライプ型の第１透明電極ライン４１２ａと、前記第１透明電極ライン４１２ａから前記Ｙ電極４１３に向かって突出した第１突出部４１２ｂと、前記第１透明電極ライン４１２ａと重畳された第１バス電極ライン４１２ｃと、を含んでいる。
【００３２】
前記Ｙ電極４１３は、ストライプ型の第２透明電極ライン４１３ａと、前記第２透明電極ライン４１３ａから前記Ｘ電極４１２に向かって突出した第２突出部４１３ｂと、前記第２透明電極ライン４１３ａと重畳された第２バス電極ライン４１３ｃと、を含んでいる。
【００３３】
前記第１及び第２透明電極ライン４１２ａ，４１３ａと、第１及び第２突出部４１２ｂ，４１２ｂとは、透明な導電膜、例えば、ＩＴＯ（Indium Tin Oxide）膜からなり、前記第１及び第２バス電極ライン４１２ｃ，４１３ｃは、前記第１及び第２透明電極ライン４１２ａ，４１３ａの電気抵抗を減らすために、導電性に優れる素材、例えば、銀ペーストやクロム−銅−クロム合金からなることが望ましい。
【００３４】
前記Ｘ電極４１２及びＹ電極４１３は、前面誘電体層４１４によって埋め込まれている。前記前面誘電体層４１４は、前記Ｘ電極４１２及びＹ電極４１３が配置された部分にのみ選択的に印刷されるか、または前面基板４１１の全域にわたって印刷されることができる。  前記前面基板４１１の表面には、マグネシウム酸化物（ＭｇＯ）のような保護膜層４１５が蒸着されている。
【００３５】
前記背面パネル４６０には、背面基板４６１が設けられている。前記背面基板４６１は、前記前面基板４１１と平行に配置されている。前記背面基板４６１も、前面基板４１１と同様に、ソーダライムガラスのような透明な基板からなる。
【００３６】
前記背面基板４６１上には、ＰＤＰ  ４００のＹ方向に沿ってストライプ型のアドレス電極４６２が配置されている。前記アドレス電極４６２は、前記Ｘ電極４１２及びＹ電極４１３と交差する方向に配置されている。前記アドレス電極４６２は、隣接した放電セルを横切って延びている。前記アドレス電極４６２は、背面誘電体層４６３によって埋め込まれている。
【００３７】
前記前面パネル４１０と背面パネル４６０との間には、放電空間を区画し、隣接した放電セル間のクロストークを防止するために、隔壁４６４が配置されている。前記隔壁４６４は、アドレス電極４６２と直交して配置された第１隔壁４６４ａと、アドレス電極４６２と平行に配置された第２隔壁４６４ｂと、を含んでいる。前記第１隔壁４６４ａは、隣接して配置された第２隔壁４６４ｂの内側から対向して延び、前記第１及び第２隔壁４６４ａ，４６４ｂは、結合時にマトリックス型をなしている。
【００３８】
代案としては、前記隔壁４６４は、メアンダー型や、デルタ型や、ハニコーム型など、多様な形態の実施形態が存在し、これにより、区画された放電セルは、四角形以外に他の形状の多角形や、円形など、何れか一つの放電空間に限定されるものではない。
【００３９】
前記隔壁４６４の内側には、各放電セル別に赤、緑、青色の蛍光体層４６５が塗布されており、前記蛍光体層４６５は、放電セルのどの領域にも塗布されることができるが、本実施形態では、隔壁４６４の内側に塗布されている。
【００４０】
前記蛍光体層４６５は、それぞれの放電セル別にコーティングされている。赤色の蛍光体層は、（Ｙ，Ｇｄ）ＢＯ３：Ｅｕ＋３からなり、緑色の蛍光体層は、Ｚｎ２ＳｉＯ４：Ｍｎ２＋からなり、青色の蛍光体層は、ＢａＭｇＡｌ１０Ｏ１７：Ｅｕ２＋からなることが望ましい。
【００４１】
前記のような構造を有するＰＤＰ  ４００は、Ｙ電極４１３とアドレス電極４６２とに電気的信号を印加して放電セルを選択し、Ｘ電極４１２及びＹ電極４１３に交互に電気的信号を印加して、前面パネル４１０の表面から面放電が起こって紫外線が発生し、選択された放電セルの蛍光体層４６５から可視光が放出されて静止画像または動画を具現することができる。
【００４２】
ここで、放電電極は、基板上の画像を具現する表示領域と、外部端子と接続される接続領域と、接続領域の外側に区画されたバッファ領域と、にわたって連続的に配置され、バッファ領域に配置された部分の断面積は、表示領域と接続領域とに配置された部分の断面積より相対的に大きく形成されている。
【００４３】
さらに詳細に説明すれば、次の通りである。
【００４４】
図５は、本発明の一実施形態による放電電極が配置された状態を示す図面である。
【００４５】
図面を参照すれば、基板５００上には、第１放電電極５１１と、第２放電電極５１２とが交互に配置されている。前記第１及び第２放電電極５１１，５１２は、放電セル別に一対ずつ配置されている。
【００４６】
本実施形態は、３電極交流型の面放電パネルであるので、前記第１及び第２放電電極５１１，５１２は、ディスプレイ維持放電を起こすＸ電極及びＹ電極を指称するものであり、前記基板５００上には、前記第１及び第２放電電極５１１，５１２と交差する方向にアドレス電極５１３がさらに設置された構造であるが、放電電極は、２電極以上の多重電極や、直流型や、ハイブリッド型や、対向放電のパネルによって、何れか一つに限定されるものではない。
【００４７】
前記基板５００は、画像を表示する表示領域５０１と、前記表示領域５０１のエッジに沿って形成され、表示領域５０１のエッジに沿って形成された非表示領域５０２と、に区分できる。
【００４８】
また、前記非表示領域５０２は、前記第１及び第２放電電極５１１，５１２がフレキシブルプリンテッドケーブルのような外部端子と接続される接続領域５０３と、前記第１及び第２放電電極５１１，５１２が外部端子との安定的な接続のために、これらが延びて配置されるバッファ領域５０４と、に区分できる。
【００４９】
前記第１及び第２放電電極５１１，５１２は、表示領域５０１と、接続領域５０３及びバッファ領域５０４にわたって連続的に配置されている。
【００５０】
以下、前記第１放電電極５１１と第２放電電極５１２とは、互いに対向して配置された実質的に同じ構造であるので、第１放電電極５１１を例として説明する。
【００５１】
前記第１放電電極５１１は、表示領域５０１に配置された部分５１４と、これから一体に延びて接続領域５０３に配置された部分５１５と、前記接続領域５０３から一体に延びてバッファ領域５０４に配置された部分５１６と、で形成されている。
【００５２】
このとき、前記バッファ領域５０４に配置された電極部分５１６の断面積は、表示領域５０１に配置された電極部分５１４や接続領域５０３に配置された電極部分５１５の断面積より相対的に大きく形成されている。これは、バッファ領域５０４に配置された電極部分５１６の端部５１６ａが割れる現象を防止するためである。
【００５３】
また、接続領域５０３に配置された電極部分５１５の長さは、バッファ領域５０４に配置された電極部分５１６の長さより相対的に長く形成されている。これは、前記接続領域５０３に配置された電極部分５１５は、実質的にフレキシブルプリンテッドケーブルのような外部端子と接続される部分であるので、接触面積が広ければ広いほど有利であるが、前記バッファ領域５０４に配置された電極部分５１６は、前記接続領域５０３に配置された電極部分５１５の長さを安定的に確保するために、これから延びる部分であるので、相対的に短いことが基板５００のサイズを軽薄短小化できるので、有利であるためである。
【００５４】
一方、前記表示領域５０１に配置された電極部分５１４の幅は、接続領域５０２に配置された電極部分５１５の幅と実質的に同じであることが望ましい。
【００５５】
図６は、本発明の一実施形態によるバッファ領域での放電電極６１０を拡大して示す図面である。
【００５６】
図面を参照すれば、基板６００上には、放電電極６１０が配置されている。
【００５７】
前記基板６００は、画像を表示する表示領域６０１と、前記表示領域６０１の外側に区画された接続領域６０２と、前記接続領域６０２の外側に区画されたバッファ領域６０３と、に区分できる。
【００５８】
前記放電電極６１０には、表示領域６０１に配置された透明電極ライン６１１を含んでいる。前記透明電極ライン６１１は、前記表示領域６０１の放電セル内に一対ずつ配置されており、放電セル内に配置された一対の透明電極ライン６１１は、異なる放電電圧が印加される。また、前記透明電極ライン６１１は、透明な導電膜、例えば、ＩＴＯ膜からなることが開口率の低下を防止させるために、有利である。
【００５９】
前記透明電極ライン６１１の一エッジには、その電気伝導性を向上させるために、バス電極ライン６１２が配置されている。前記バス電極ライン６１２は、表示領域６０１上には、前記透明電極ライン６１１と重畳された二層構造であり、これから延びた接続領域６０２及びバッファ領域６０３では、単一層構造である。また、前記バス電極ライン６１２は、表示領域６０１に配置された部分６１３と、接続領域６０２に配置された部分６１４と、バッファ領域６０３に配置された部分６１５とが一体に連結されたストライプ型である。
【００６０】
このとき、前記バッファ領域６０３に配置された電極部分６１５は、前記表示領域６０１または接続領域６０２に配置された電極部分６１３，６１４より相対的に幅が広い。これにより、前記バッファ領域６０３に配置された電極部分６１５の面積も大きい。また、前記表示領域６０１または接続領域６０２に配置された電極部分６１３，６１４は、実質的に同じ幅に形成されている。
【００６１】
このようなバッファ領域６０３に配置された電極部分６１５は、四角形以外にも、図７及び図８に示したように、バッファ領域６０３に配置された電極部分７１５，８１５が円形でもあり、非円形（例えば楕円形）でもあるなど何れか一つの形状に限定されるものではない。
【００６２】
一方、前記バッファ領域６０３に配置された電極部分６１５は、バス電極６１２のパターンを形成するための工程、例えば，現像工程で、前記接続領域６０２に配置された電極部分６１４の左右ディギング現象を防止するために意図的に形成させる部分であるので、前記接続領域６０２に配置された電極部分６１４より長い必要はない。
【００６３】
本発明は、図面に示した一実施形態を参考として説明されたが、これは、例示的なものに過ぎず、当業者ならば、これから多様な変形及び均等な他の実施形態が可能であることが分かる。したがって、本発明の真の技術的保護範囲は、特許請求の範囲の技術的思想によって決定されねばならない。
【産業上の利用可能性】
【００６４】
本発明は、ＰＤＰに関連した技術分野に適用可能である。
【図面の簡単な説明】
【００６５】
【図１】通常的なＰＤＰの一部を示す分離斜視図である。
【図２】図１の放電電極が配置された状態を一部拡大して示す平面図である。
【図３】図２の放電電極を拡大して示す斜視図である。
【図４】本発明の一実施形態によるＰＤＰの一部を示す分離斜視図である。
【図５】図４の放電電極が配置された状態を一部拡大して示す平面図である。
【図６】図４の放電電極を拡大して示す斜視図である。
【図７】本発明の第２実施形態による放電電極を示す平面図である。
【図８】本発明の第３実施形態による放電電極を示す平面図である。
【符号の説明】
【００６６】
４００        ＰＤＰ
４１０        前面パネル
４１１        前面基板
４１２        Ｘ電極
４１２ａ        第１透明電極ライン
４１２ｂ        第１突出部
４１２ｃ        第１バス電極ライン
４１３        Ｙ電極
４１３ａ        第２透明電極ライン
４１３ｂ        第２突出部
４１３ｃ        第２バス電極ライン
４１４        前面誘電体層
４１５        保護膜層
４６０        背面パネル
４６１        背面基板
４６２        アドレス電極
４６３        背面誘電体層
４６４        隔壁
４６４ａ        第１隔壁
４６４ｂ        第２隔壁
４６５        蛍光体層
【図１】
2006114483.tif 000003
【図２】
2006114483.tif 000004
【図３】
2006114483.tif 000005
【図４】
2006114483.tif 000006
【図５】
2006114483.tif 000007
【図６】
2006114483.tif 000008
【図７】
2006114483.tif 000009
【図８】
2006114483.tif 000010